(57)【要約】【課題】ガス容器の積込積降作業における作業員の安全を確保するための渡り板を提供する【解決手段】ガス容器の積込積降作業の安全を確保するための渡り板は、ガス容器置き場の設置面とトレーラーの荷台との間を渡す板と、板の長手方向の一辺に沿って荷台とアオリとの間にはめ込む複数の爪とを備える。【選択図】図１
0003223478.tif 000002
【実用新案登録請求の範囲】
【請求項１】
ガス容器の積込積降作業の安全を確保するための渡り板であって、ガス容器置き場の設置面とトレーラーの荷台との間を渡す板と、前記板の長手方向の一辺に沿って荷台とアオリとの間にはめ込む複数の爪とを備えたことを特徴とする渡り板。
【請求項２】
前記板の前記長手方向の前記一辺に、前記設置面と前記荷台との間を渡す前記板を滑らせないための滑り止めをさらに備えたことを特徴とする請求項１に記載の渡り板。
【考案の詳細な説明】
【技術分野】
【０００１】
本考案は、渡り板に関し、より詳細には、ＬＰ（液化石油）ガス充填所における、ガス容器の積込積降作業のための渡り板に関する。
【背景技術】
【０００２】
従来、ＬＰガスは、例えば、タンカーによって産ガス国から港に運ばれて輸入される。輸入されたＬＰガスは、ＬＰガスを保管する、沿岸部にある輸入基地、内陸部にある中継基地などに保管される。さらに、保管されたＬＰガスは、例えば、タンクローリーによって、各地のＬＰガス充填所に輸送される。輸送されたＬＰガスは、ＬＰガス充填所においてガス容器に充填される。
【０００３】
充填されたガス容器は、例えば、作業員によって、ＬＰガス充填所の建物からトラクターが牽引するトレーラーの荷台に積み込まれる。積み込まれたガス容器は、トレーラーによってガス容器の保管庫に運ばれる。運ばれたガス容器は、例えば、作業員によって、トレーラーから保管庫に積み降ろされる。積み降ろされたガス容器は、一時的に保管される。例えば、顧客の家庭においてガス容器の交換が必要になると、保管されたガス容器は、作業員によって、各家庭などに運ぶ配送用トラックの荷台に、保管庫の建物から積み込まれる。
【０００４】
一般に、物や人を運び送る車両と、車両に積込積降や乗降をする場所との間には、隙間があることが多い。列車電車に関して、乗客が乗り降りする際に、安全を確保するための渡り板スロープが知られている（例えば、特許文献１参照）。
【先行技術文献】
【特許文献】
【０００５】
【特許文献１】実用新案登録第３２２１７６３号公報
【考案の概要】
【考案が解決しようとする課題】
【０００６】
しかしながら、ＬＰガス充填所や保管庫の建物とトレーラーや配送用トラックの荷台との間に隙間があり、作業員がガス容器の積込積降作業をするのに安全を確保できないという問題があった。
【０００７】
本考案は、このような問題に鑑みてなされたもので、その目的とするところは、ＬＰガス充填所や保管庫の建物とトレーラーや配送用トラックの荷台との間を渡すことにより、ガス容器の積込積降作業における作業員の安全を確保するための渡り板を提供することにある。
【課題を解決するための手段】
【０００８】
このような目的を達成するために、本考案の一態様は、ガス容器の積込積降作業の安全を確保するための渡り板であって、ガス容器置き場の設置面とトレーラーの荷台との間を渡す板と、板の長手方向の一辺に沿って荷台とアオリとの間にはめ込む複数の爪とを備える。
【０００９】
本考案の別の態様は、ガス容器の積込積降作業の安全を確保するための渡り板であって、ガス容器置き場の設置面とトレーラーの荷台との間を渡す板と、板の長手方向の一辺に沿って荷台とアオリとの間にはめ込む複数の爪と、板の長手方向の一辺に、設置面と荷台との間を渡す板を滑らせないための滑り止めとを備える。
【考案の効果】
【００１０】
本考案によれば、作業員は、安心感を持って、ガス容器の積込積降作業をすることが可能となる。
【図面の簡単な説明】
【００１１】
【図１】本考案の一実施形態にかかる渡り板の上面図である。
【図２】本考案の一実施形態にかかる渡り板の側面図である。
【図３】本考案の一実施形態にかかる渡り板の使用例を例示する図である。
【図４】本考案の一実施形態にかかる渡り板の使用例を例示する図である。
【考案を実施するための形態】
【００１２】
以下、図面を参照しながら本考案の実施形態について詳細に説明する。
【００１３】
図１は、本考案の一実施形態にかかる渡り板の上面図である。ＬＰガス充填所の建物におけるガス容器置き場の設置面とトレーラーの荷台との間を渡す板であるアルミ板１に、トレーラーのアオリを開けたときのアオリとトレーラーの荷台との間にできる空間にはめ込む複数の爪であるウレタン２と、渡り板の滑り止めであるシート状のゴム３とが接着されている。
【００１４】
詳細には、アルミ板１において、アルミ板１の長手方向の一辺に沿って、一辺の縁から離して３個のウレタン２を配置し、アルミ板１の長手方向の一辺の縁とウレタン２との間に、一辺の縁に接した位置にゴム３を配置する。アルミ板１の長手方向の一辺とウレタン２との距離は、アルミ板1の長手方向の一辺がトレーラーの荷台の上面にゴム３が接するようにアルミ板１を置くことができる距離にする。
【００１５】
代替えとして、ＬＰガス充填所の建物とトレーラーの荷台との間を渡す板は、ガス容器と作業員との重量を支えることができ、作業員によるガス容器の積込積降作業の際に安全を確保することができれば、どのような材料および形状であってもよい。
【００１６】
また、代替えとして、トレーラーのアオリを開けたときのアオリとトレーラーの荷台との間にできる空間にはめ込む複数の爪と、渡り板の滑り止めとは、渡り板が動かずに、作業員によるガス容器の積込積降作業の際に安全を確保することができれば、どのような材料および形状であってもよい。
【００１７】
さらに、代替えとして、トレーラーのアオリを開けたときのアオリとトレーラーの荷台との間にできる空間にはめ込む爪の数は、渡り板が動かずに、作業員によるガス容器の積込積降作業の際に安全を確保することができれば、１個であってもよい。
【００１８】
別の実施形態として、渡り板の滑り止めは、トレーラーのアオリを開けたときのアオリとトレーラーの荷台との間にできる空間にはめ込む複数の爪によって、渡り板が動かずに、作業員によるガス容器の積込積降作業の際に安全を確保することができれば、なくてもよい。
【００１９】
図２は、本考案の一実施形態にかかる渡り板の側面図である。本実施形態の渡り板は、アルミ板１に、ウレタン２とゴム３とが接着されてできている。
【００２０】
このような構成により、ガス容器の積込積降作業における作業員の安全を確保する。
【００２１】
図３は、本考案の一実施形態にかかる渡り板の使用例を例示する図である。ＬＰガス充填所の建物におけるガス容器置き場４にガス容器５があり、トレーラーのアオリ７を開けたときのアオリ７とトレーラーの荷台６との間にできる空間にウレタン２がはめ込まれ、ＬＰガス充填所の建物におけるガス容器置き場４とトレーラーの荷台６とにアルミ板１が置かれている。
【００２２】
上述のように設置すれば、アルミ板１は、ウレタン２により短手方向に移動することなく、ゴム３により長手方向にも移動することもなくなる。例えば、作業員は、アルミ板１に上がって、ガス容器５を、アルミ板１に接触させたままＬＰガス充填所の建物におけるガス容器置き場４からトレーラーの荷台６に積み込むことができる。
【００２３】
図４は、本考案の一実施形態にかかる渡り板の使用例を例示する図である。トレーラーの荷台６にガス容器５があり、トレーラーのアオリ７を開けたときのアオリ７とトレーラーの荷台６との間にできる空間にウレタン２がはめ込まれ、トレーラーの荷台６と保管庫の建物におけるガス容器置き場４とにアルミ板１が置かれている。例えば、作業員は、アルミ板１に上がって、ガス容器５を、アルミ板１に接触させたままトレーラーの荷台６から保管庫の建物におけるガス容器置き場４に積み降ろすことができる。
【００２４】
本実施形態によれば、ガス容器の積込積降作業において作業員の安全を確保することができる。
【符号の説明】
【００２５】
１  アルミ板
２  ウレタン
３  ゴム
４  ガス容器置き場
５  ガス容器
６  荷台
７  アオリ
【図１】
0003223478.tif 000003
【図２】
0003223478.tif 000004
【図３】
0003223478.tif 000005
【図４】
0003223478.tif 000006